(57)【要約】【課題】昇降部２７をガイド体２９内に確実に進入させ、昇降部２７をガイド体２９に対して回り止めできる昇降装置１３を提供する。【解決手段】昇降装置本体２２の巻取ドラム２４で巻き取り巻き戻しするワイヤロープ２３に昇降部２７を連結し、昇降部２７を昇降装置本体２２に対して昇降させる。昇降装置本体２２に昇降部２７が進入するガイド体２９を設ける。ガイド体２９に対して係合するロック爪５５を昇降部２７の周面から進退可能に設ける。ガイド体２９にロック爪５５が係合するロック部４０を設け、ロック部４０の両側にロック爪５５を介して昇降部２７をガイド体２９に対して回り止め規制する回り止め部４１を設ける。ガイド体２９に回り止め部４１を設けることで、昇降部２７の周面には進退可能とするロック爪５５があるだけで、昇降部２７をガイド体２９内に確実に進入させることができる。回り止め部４１でロック爪５５を介して昇降部２７をガイド体２９に対して回り止めできる。【選択図】        図１
2004158428.tif 000002
【特許請求の範囲】
【請求項１】
索条、索条を巻き取り巻き戻しする巻取ドラム、および巻取ドラムを回転駆動する駆動部を有する昇降装置本体と；
索条に連結され、昇降装置本体に対して昇降する昇降部と；
昇降装置本体に設けられ、昇降装置本体に上昇する昇降部が進入するガイド体と；
昇降装置本体に設けられた昇降装置本体側接点と；
昇降部に設けられ、昇降部がガイド体内に進入した状態で昇降装置本体側接点に接続される昇降部側接点と；
昇降部から側方へ進退可能に突設され、昇降部がガイド体内に進入した状態でガイド体に対して係脱可能とするロック爪と；
ガイド体に設けられ、ガイド体に係合したロック爪を介して昇降部をガイド体に対して回り止め規制する回り止め部と；
を具備していることを特徴とする昇降装置。
【請求項２】
ガイド体の昇降部が進入する進入域の側部に、昇降部のロック爪が係合するロック部が設けられているとともに、ロック部の両側にロック爪を規制する回り止め部が設けられている
ことを特徴とする請求項１記載の昇降装置。
【発明の詳細な説明】
【０００１】
【発明の属する技術分野】
本発明は、昇降装置本体に対して索条で吊り下げた昇降部を昇降させる昇降装置に関する。
【０００２】
【従来の技術】
従来、例えば体育館、工場および倉庫のような高天井に設置する照明装置では、ランプ交換や点検および清掃を容易にするために、照明器具を昇降装置によって昇降させる構成が知られている。
【０００３】
昇降装置は、天井側に設置される昇降装置本体を有し、この昇降装置本体には昇降用モータで回転駆動する巻取ドラムにワイヤロープが巻回されていて、このワイヤロープに昇降部が連結されて吊り下げられ、この昇降部に照明器具が取り付けられている。そして、ワイヤロープの巻取りドラムに対する巻き戻しおよび巻き取りにより、昇降部とともに照明器具が昇降する。
【０００４】
昇降装置本体には下方に臨んで複数の昇降装置本体側接点が配置され、昇降部の上面にはこの昇降部が昇降装置本体内に上昇した状態で対応する各昇降装置本体側接点と接触する複数の昇降部側接点が配設されており、これら複数の昇降装置本体側接点および複数の昇降部側接点の接触によって昇降装置本体から照明器具に給電可能としている。
【０００５】
複数の昇降装置本体側接点と複数の昇降部側接点とを確実に接続させるには、昇降装置本体に対してワイヤロープで吊り下げられた昇降部の水平方向の位置および鉛直軸回りの位置を規制する必要がある。そこで、昇降装置本体には下方へ突出する４つのガイド部を有するガイド体が取り付けられ、このガイド体の４つのガイド部間に昇降装置本体内に上昇する昇降部が進入して昇降部の水平方向の位置を位置決めしている。昇降部の外周面の両側には一対の嵌合突部が突出状態に固定され、これら各嵌合突部がガイド体の両側の隣り合う２つのガイド部間の間隙にそれぞれ進入して昇降部の鉛直軸回りの位置を規制している（例えば、特許文献１参照）。
【０００６】
ガイド体にはこのガイド体内に進入した昇降部の嵌合突部に係合して昇降部の下降や落下を防止するロック爪が設けられている。
【０００７】
【特許文献１】
特許第２６１９９９７号公報（第５頁、図１１および図１２）
【０００８】
【発明が解決しようとする課題】
しかしながら、従来の昇降装置では、下降している昇降部を昇降装置本体内に上昇させる際、昇降部の横揺れや鉛直軸回りの回転などによる影響によって、昇降部の外周面の両側に突出固定されている両側の嵌合突部がガイド体の両側の隣り合う２つのガイド部間の間隙に進入せずに一側の１つのガイド部とこのガイド部に対して反対の他側に位置するガイド部との間に進入した場合、昇降部の上昇が規制されてしまって昇降部をガイド体内に進入させることができない。この場合、昇降部をガイド体内の所定のロック位置まで進入させることができないため、昇降部の昇降部側接点を昇降装置本体側接点に接触させたり、昇降部の嵌合突部にロック爪を係合させて昇降部をロックすることができない問題があり、しかも、昇降部の上昇が規制された後にも駆動を継続する昇降用モータに負荷を与える問題がある。
【０００９】
本発明は、このような点に鑑みなされたもので、昇降部の横揺れや鉛直軸回りの回転などの影響があっても昇降部をガイド体内に確実に進入させ、昇降装置本体側接点と昇降部側接点との電気接続およびガイド体に対する昇降部のロックを確実にできる昇降装置を提供することを目的とする。
【００１０】
【課題を解決するための手段】
請求項１記載の昇降装置は、索条、索条を巻き取り巻き戻しする巻取ドラム、および巻取ドラムを回転駆動する駆動部を有する昇降装置本体と；索条に連結され、昇降装置本体に対して昇降する昇降部と；昇降装置本体に設けられ、昇降装置本体に上昇する昇降部が進入するガイド体と；昇降装置本体に設けられた昇降装置本体側接点と；昇降部に設けられ、昇降部がガイド体内に進入した状態で昇降装置本体側接点に接続される昇降部側接点と；昇降部から側方へ進退可能に突設され、昇降部がガイド体内に進入した状態でガイド体に対して係脱可能とするロック爪と；ガイド体に設けられ、ガイド体に係合したロック爪を介して昇降部をガイド体に対して回り止め規制する回り止め部と；を具備しているものである。
【００１１】
そして、この構成では、ガイド体に設けた回り止め部によりガイド体に進入した昇降部のロック爪を介してその昇降部をガイド体に対して回り止め規制するため、昇降部の側部には進退可能とするロック爪があるだけで他の固定突出物がなく、昇降部の横揺れや鉛直軸回りの回転などの影響があっても昇降部をガイド体内に確実に進入させることが可能で、昇降装置本体側接点と昇降部側接点との電気接続およびガイド体に対する昇降部のロックが確実に可能となる。
【００１２】
請求項２記載の昇降装置は、請求項１記載の昇降装置において、ガイド体の昇降部が進入する進入域の側部に、昇降部のロック爪が係合するロック部が設けられているとともに、ロック部の両側にロック爪を規制する回り止め部が設けられているものである。
【００１３】
そして、この構成では、ガイド体の昇降部が進入する進入域の側部に、昇降部のロック爪が係合するロック部を設けるとともに、このロック部の両側にロック爪を規制する回り止め部を設けるだけの簡単な構成で、昇降部を確実に回り止め可能となる。
【００１４】
【発明の実施の形態】
以下、本発明の一実施の形態を図面を参照して説明する。
【００１５】
図１ないし図４に第１の実施の形態を示し、図１は昇降装置および照明器具の斜視図、図２は昇降装置のガイド体および昇降部の分解状態の斜視図、図３は昇降装置のガイド体および昇降部が組み合った状態の側面図、図４は昇降装置のガイド体および昇降部が組み合った状態の平面図である。
【００１６】
図１において、１１は照明装置で、この照明装置１１は、例えば、体育館、工場および倉庫などの高天井に設置されるもので、照明器具１２、およびこの照明器具１２を昇降させる昇降装置１３を備えている。
【００１７】
照明器具１２は、昇降装置１３に取り付けられる器具本体１６を有し、この器具本体１６の下部に反射体１７が取り付けられ、この反射体１７の内側で図示しないソケットにランプ１８が着脱可能に取り付けられている。
【００１８】
昇降装置１３は、取付アーム２１によって天井などの構造物に設置される昇降装置本体２２を有し、この昇降装置本体２２には、索条としてのワイヤロープ２３の基端側を連結して巻き取り巻き戻しする巻取ドラム２４、およびこの巻取ドラム２４を回転駆動する駆動部としての昇降用モータ２５が配設されている。ワイヤロープ２３は例えば２本であり、また、巻取ドラム２４には２本のワイヤロープ２３をそれぞれ巻き取る２つの巻取部２４ａが並設されている。
【００１９】
各ワイヤロープ２３の先端側は、照明器具１２の下降時にこの照明器具１２が床面に設置した際にワイヤロープ２３が弛むのを検知して昇降用モータ２５を停止させる弛み検知手段２６や図示しない複数のガイドプーリなどを通じて、昇降装置本体２２の下面中央から下方へ導出されている。両ワイヤロープ２３の先端に昇降部２７が連結されて吊り下げられ、この昇降部２７の下部にブラケット２８を介して照明器具１２が取り付けられている。照明器具１２側と昇降部２７側とはケーブルなどで電気的にも接続されている。
【００２０】
昇降装置本体２２の中央には、昇降装置本体２２に上昇する昇降部２７が嵌合して進入しその昇降部２７を位置決めするガイド体２９が設置され、このガイド体２９の内側に昇降部２７との電気接続を図るための接点台３０が上下動可能に配置されている。ガイド体２９および接点台３０の両側を通じて各ワイヤロープ２３が下方へ導出されている。
【００２１】
接点台３０の下面には複数の昇降装置本体側接点３１が取り付けられ、昇降部２７の上面には昇降装置本体側接点３１に対して接続される複数の昇降部側接点３２が取り付けられている。昇降部２７がガイド体２９内の所定の接続ロック位置（ロック位置または接続位置）まで進入した状態で、昇降装置本体側接点３１と昇降部側接点３２とが接触して昇降装置本体２２側から照明器具１２に給電可能としている。
【００２２】
また、図２ないし図４に示すように、ガイド体２９は、上下方向に開口する略長方形枠状に形成され、下部側に昇降部２７が嵌合して進入する進入域３５が形成されている。この進入域３５に臨むガイド体２９の長手方向の両側に昇降部２７の周面が嵌合する両側のガイド部３６が形成され、これら両側のガイド部３６と交差したガイド体２９の短手方向の両側中央に進入域３５に進入した昇降部２７の周面が突出する溝部３７が形成されている。
【００２３】
両側のガイド部３６は、その内面が昇降部２７の外径より少し大きい内径の円弧面に形成され、下方へ向けて突出する円弧状の導入縁３８を有し、この導入縁３８の内面が昇降部２７の進入を容易にするために下方へ向けて拡開傾斜する導入面３９が形成されている。両側のガイド部３６の導入面３９に連続した上部には、中央にガイド部３６の内面より外方へ向けて窪む溝状のロック部４０が形成されているとともに、このロック部４０の両側に回り止め部４１が一体に形成されている。回り止め部４１の内面はガイド部３６の内面に連続した面に形成されている。
【００２４】
ガイド体２９の長手方向の両側中央にガイド部３６の上部３６ａの位置から開口する開口部４２が形成され、ガイド体２９の内側上部に接点台３０が上下方向に移動可能に嵌合するガイド枠部４３が形成されている。そして、ガイド体２９のガイド枠部４３の上部が昇降装置本体２２に取り付けられている。
【００２５】
また、接点台３０は、ガイド体２９のガイド枠部４３の内側に上下方向に移動可能に嵌合する四角形枠状に形成され、長方形の基板部４６、およびこの基板部４６の短手方向の両側から下方へ折曲されて昇降部２７の上面に当接する当接板部４７を有する断面略コ字形に形成され、当接板部４７の両端には昇降部２７の周面に係合する係合部４８が下方へ突出形成されている。この接点台３０の基板部４６の下面に円板状の複数の昇降装置本体側接点３１が取り付けられている。接点台３０の上面にはガイド体２９が取り付けられた昇降装置本体２２との間に複数のスプリング４９が配置され、これらスプリング４９によって接点台３０がガイド体２９に対して下方へ付勢されている。
【００２６】
また、昇降部２７は、上下方向に開口する略円筒状に形成され、上部両側に一対の溝部５２が形成され、これら各溝部５２の両側にロック爪取付部５３が形成されている。これら各溝部５２で両側のロック爪取付部５３間に、周面から鋭角に突出する爪部５４を有するロック爪５５が回動可能に配置されている。各ロック爪５５は、軸５６によって両側のロック爪取付部５３に対して回転自在に軸支され、爪部５４が昇降部２７の外周面より側方へ向けて突出するように例えば軸５６に装着されるスプリングなどの図示しない付勢手段によって付勢されている。したがって、ロック爪５５は、その爪部５４が側方へ突出する進出可能とし、溝部５２を通じて下方に回動して昇降部２７の外周面から後退可能とするとともに上方へ回動して昇降部２７の外周面から後退可能としている。
【００２７】
昇降部２７の上面に複数の昇降部側接点３２が配設され、これら各昇降部側接点３２は、昇降部２７に対して上下方向に移動可能に支持されているとともにスプリング５７によって上方へ付勢されている。
【００２８】
次に、本実施の形態の作用を説明する。
【００２９】
照明器具１２を下降させるときには、昇降用モータ２５の駆動で巻取ドラム２４からワイヤロープ２３を巻き戻し、昇降部２７および照明器具１２を下降させる。
【００３０】
下降する照明器具１２が床面に降りれば、ワイヤロープ２３が弛み、このワイヤロープ２３の弛みを弛み検知手段２６で検知して昇降用モータ２５の駆動を停止する。この照明器具１２の下降状態で、照明器具１２のランプ１８の交換、照明器具１２の点検および清掃ができる。
【００３１】
また、下降状態から照明器具１２を上昇させるときには、昇降用モータ２５の駆動で巻取ドラム２４にワイヤロープ２３を巻き取り、昇降部２７および照明器具１２を上昇させる。
【００３２】
昇降部２７が昇降装置本体２２に達すれば、昇降部２７がガイド体２９内に嵌合して進入上昇する。このとき、昇降部２７の横揺れや鉛直軸回りの回転などの影響があっても、ガイド体２９の両側のガイド部３６に形成された拡開傾斜する導入面３９を通じて、昇降部２７をガイド体２９内に確実に進入させることができる。
【００３３】
昇降部２７がガイド体２９内に嵌合して進入上昇する際に、昇降部２７の外周面の両側からそれぞれ側方へ向けて突出する両側のロック爪５５の爪部５４がガイド部３６に当接するが、ロック爪５５に対する付勢に抗して爪部５４が溝部５２を通じて下方に回動して昇降部２７の外周面から後退するため、昇降部２７のガイド体２９内への進入上昇が許容される。したがって、昇降部２７の横揺れや鉛直軸回りの回転などの影響があっても、昇降部２７をガイド体２９内に確実に進入上昇させることができる。
【００３４】
昇降部２７がガイド体２９内を上昇する過程で、昇降部２７の各昇降部側接点３２がガイド体２９内に配置されている接点台３０の各昇降装置本体側接点３１に当接し、その後は、スプリングを収縮させながら昇降部２７と一緒に接点台３０が上昇する。
【００３５】
昇降部２７が接続ロック位置まで上昇したことを図示しないリミットスイッチなどの検知手段で検知したら昇降用モータ２５の駆動を停止する。
【００３６】
昇降部２７がガイド体２９内を上昇しているときにはロック爪５５の爪部５４がガイド部３６の内面に当接して摺動しながら上昇しており、昇降部２７が接続ロック位置まで上昇する直前に、ロック爪５５の爪部５４がガイド部３６の内面からロック部４０に臨み、ロック爪５５に対する付勢によって爪部５４が昇降部２７の外周面から側方へ突出するように回動してロック部４０に係合する。昇降部２７が接続ロック位置に停止した状態で、ワイヤロープ２３が緩むなどして昇降部２７が下降しようとしても、ロック爪５５の爪部５４がロック部４０に係合して昇降部２７の下降を規制できる。
【００３７】
昇降部２７に取り付けられた照明器具１２の横揺れや鉛直軸回りの回転などの影響により、昇降部２７がガイド体２９に対して鉛直軸回りの回転しようとしても、ロック部４０に係合しているロック爪５５の爪部５４の側面が回り止め部４１に当接し、昇降部２７の回転を規制する。そのため、昇降装置本体側接点３１と昇降部側接点３２との電気接続状態、およびガイド体２９に対する昇降部２７のロックを確実に維持できる。
【００３８】
また、照明器具１２の下降時にロック爪５５による昇降部２７のロックを解除する場合には、まず、昇降部２７を所定量上昇させ、ロック爪５５の爪部５４をガイド部３６の上部３６ａに臨ませることにより、ロック爪５５に対する付勢によって爪部５４がガイド部３６の上部３６ａの上方へ回動して突出する。その後、昇降部２７を下降させることにより、爪部５４がガイド部３６の上部３６ａに当接するが、ロック爪５５に対する付勢に抗して爪部５４が上方へ回動して昇降部２７の外周面から後退するため、昇降部２７のガイド体２９に対する下降が許容される。
【００３９】
このように、ガイド体２９に設けた回り止め部４１によりガイド体２９に進入した昇降部２７のロック爪５５を介してその昇降部２７をガイド体２９に対して回り止め規制するため、昇降部２７の側部には進退可能とするロック爪５５があるだけで他の固定突出物がなく、昇降部２７の横揺れや鉛直軸回りの回転などの影響があっても昇降部２７をガイド体２９内に確実に進入させることができ、昇降装置本体側接点３１と昇降部側接点３２との電気接続およびガイド体２９に対する昇降部２７のロックを確実にできる。
【００４０】
さらに、ガイド体２９の昇降部２７が進入する進入域３５の側部に、昇降部２７のロック爪５５が係合するロック部４０を設けるとともに、このロック部４０の両側にロック爪５５を規制する回り止め部４１を設けるだけの簡単な構成で、昇降部２７を確実に回り止めできる。
【００４１】
また、図５の第２の実施の形態に示すように、ロック爪５５を昇降部２７の下部に設けることもできる。これによって、昇降部２７がガイド体２９内にスムーズに収納されやすくなる。
【００４２】
また、図６の第３の実施の形態に示すように、ガイド体２９のロック部４０の両側に形成される回り止め部４１にガイド部３６の導入面３９と同一面でその導入面３９の横幅全域まで延長する延長部４１ａを形成し、ガイド体２９に進入した昇降部２７のロック爪５５はロック部４０のみに係合可能でガイド体２９の他の箇所には係合しないように構成することもできる。これによって、昇降部２７を上昇させる際に昇降部２７に横揺れや軽度な回転が生じても、昇降部２７のロック爪５５がロック部４０から外れた位置に誤って係合してしまうおそれがなく、昇降部２７の横揺れや回転の途中、あるいは横揺れや回転が収まることでロック爪５５がロック部４０に係合し、昇降部２７をガイド体２９に対して正規の位置に確実にロックできる。
【００４３】
なお、昇降装置１３で昇降させる昇降部２７には、照明器具１２に限らず、例えば、表示装置などの電気機器を取り付けて昇降させることができ、同様の作用効果が得られる。
【００４４】
【発明の効果】
請求項１記載の昇降装置によれば、ガイド体に設けた回り止め部によりガイド体に進入した昇降部のロック爪を介してその昇降部をガイド体に対して回り止め規制するため、昇降部の側部には進退可能とするロック爪があるだけで他の固定突出物がなく、昇降部の横揺れや鉛直軸回りの回転などの影響があっても昇降部をガイド体内に確実に進入させることができ、昇降装置本体側接点と昇降部側接点との電気接続およびガイド体に対する昇降部のロックを確実にできる。
【００４５】
請求項２記載の昇降装置によれば、請求項１記載の昇降装置の効果に加えて、ガイド体の昇降部が進入する進入域の側部に、昇降部のロック爪が係合するロック部を設けるとともに、このロック部の両側にロック爪を規制する回り止め部を設けるだけの簡単な構成で、昇降部を確実に回り止めできる。
【図面の簡単な説明】
【図１】本発明の第１の実施の形態を示す昇降装置および照明器具の斜視図である。
【図２】同上昇降装置のガイド体および昇降部の分解状態の斜視図である。
【図３】同上昇降装置のガイド体および昇降部が組み合った状態の側面図である。
【図４】同上昇降装置のガイド体および昇降部が組み合った状態の平面図である。
【図５】本発明の第２の実施の形態を示す昇降装置の昇降部の斜視図である。
【図６】本発明の第３の実施の形態を示す昇降装置のガイド体および昇降部の分解状態の斜視図である。
【符号の説明】
１３    昇降装置
２２    昇降装置本体
２３    索条としてのワイヤロープ
２４    巻取ドラム
２５    駆動部としての昇降用モータ
２７    昇降部
２９    ガイド体
３１    昇降装置本体側接点
３２    昇降部側接点
３５    進入域
４０    ロック部
４１    回り止め部
５５    ロック爪
【図１】
2004158428.tif 000003
【図２】
2004158428.tif 000004
【図３】
2004158428.tif 000005
【図４】
2004158428.tif 000006
【図５】
2004158428.tif 000007
【図６】
2004158428.tif 000008